(57)【要約】      （修正有）【課題】シート面の破損（防水性のき損）が離れた場所からでも容易に検出することができることは勿論、その製造にラミネート貼着などの手間を要しないＮＡＴＭ工法用の傷発見機能を有する防水シートを提供する。【解決手段】防水シート１は、不織布製の透水層３と、透水層３の一方の面と接するように配置された合成樹脂製の単層の防水層２とを備え、透水層３は、防水層２と接する面が、防水層２の色に対して強いコントラストを発現する有色層３１に形成されている。【選択図】図１
0003225285.tif 000002
【実用新案登録請求の範囲】
【請求項１】
不織布製の透水層と、
前記透水層の一方の面と接するように配置された合成樹脂製の単層の防水層とを備え、
前記透水層は、前記防水層と接する面が、前記防水層の色に対して強いコントラストを発現する有色層に形成されていることを特徴とする傷発見機能を有する防水シート。
【請求項２】
前記有色層は、前記透水層に染料や顔料を付着して形成されている請求項１に記載の傷発見機能を有する防水シート。
【請求項３】
前記不織布は、前記防水層の色に対して強いコントラストを発現する材料により形成されている請求項１に記載の傷発見機能を有する防水シート。
【考案の詳細な説明】
【技術分野】
【０００１】
本考案は主としてＮＡＴＭ工法により工事が施工されるトンネル工事に使用して有用な防水シートに関し、より具体的には施工時に施工面の尖鋭な角部や鉄筋などにより表面が傷付いて防水性が損なわれたことを肉眼で容易に検知乃至検出できるようにした傷発見機能を有する防水シートに関する。
【背景技術】
【０００２】
ＮＡＴＭ工法で使用される防水シートは、トンネルの断面形状に沿って掘削された地山に施工された一次覆工をその上から被覆して、二次覆工を施工し二次覆工側に地山から滲出する湧水などの水が二次覆工側に漏出するのを防ぐために用いられている。
【０００３】
上記のような態様で用いられる防水シートは、一次覆工面を被覆する際、当該一次覆工面の尖鋭な凹凸部や二次覆工用に配置される鉄筋などによって引き掻かれ、小さく破れることがままあるが、そのような破損を、透明乃至は半透明で厚さが０．８〜２ｍｍ程度の合成樹脂製防水シートの外面から肉眼で検知することは、きわめて困難であった。
【０００４】
特に、工事中のトンネルにおける一次覆工ア一チ面の頂部側は、目視する工事関係者の眼から大きく離れ、かつ、工事中のトンネル内ゆえに十分な照明もないため、防水シートの小さな損傷を肉眼で見付けることは、困難を窮めた。
【０００５】
このような点に鑑み、ＮＡＴＭ工法用の防水シートとして、当該シートの小さな損傷を見付け易くした技術が、特許文献１や同２により提案されているが、これらの提案技術には未だ解決すべき課題のあることが判明した。
【０００６】
すなわち、特許文献１の防水シートは、暗い又は濃い色のベースシートの表面に、明るい又は淡い色の薄いシートを貼着して複合シートとすると共に、当該複合シートの表面を凹凸粗面に形成したものであるが、２枚の成形シートを用意したうえで、これら２枚のシートを貼着、つまりラミネート加工し、更に、薄いシートの表面を凹凸粗面に加工しているため、製造に手間取りコスト的にも単層シートに比べ高価なものとなっていた。また、特許文献１に記載の防水シートは、ベースシートの側を裏にして防水施工個所に張ると、破れた場合には、破れた個所のベースシートの暗い或いは濃い色と、表側シートの明るい或いは淡い色との２トーンにより、これを容易に見付けることができるとあるが、当該複合シートが鋭利に切れた場合は、ベースシートが表出せずに、ベースシートに接している透水層である不織布が表出しまうことがあった。そして、透水層が当該薄いシートとの関係で２トーンを発現しない色の場合には、破れた箇所を容易に見つけることができなかった。
【０００７】
一方、特許文献２の防水シートは、不透水層（つまり、単層の防水シート）に、電磁波照射によって発光現象を来たす発光物質粒子を分散させたシート状の発光層（発光性シート）を、積層・接合したものであるが、発光性シートの製造に手間取るのみならず、これを不透水層にラミネートしなければならない煩しさがあって、製造手間の面、コスト面から見て、ＮＡＴＭ工法トンネルの一次覆工と二次覆工の間に埋設されてしまう使い捨て資材としては、経済性の面で問題であった。
【先行技術文献】
【特許文献】
【０００８】
【特許文献１】特公平５−６８５６６号公報
【特許文献２】特許第４１８２３６１号公報
【考案の概要】
【考案が解決しようとする課題】
【０００９】
そこで本考案では、ＮＡＴＭ工法における一次覆工と二次覆工の間に設置される防水シートであっても、当該シートの施工時に一次覆工面との擦過や二次履行用の鉄筋等との引っ掛かりなどにより生じることがあるシート面の破損（防水性のき損）が離れた場所からでも容易に検出することができることは勿論、その製造にラミネート貼着などの手間を要しないＮＡＴＭ工法用の傷発見機能を有する防水シートを提供することを課題とする。
【課題を解決するための手段】
【００１０】
上記課題を解決することを目的としてなされた本考案の傷発見機能を有する防水シートの構成は、不織布製の透水層と、前記透水層の一方の面と接するように配置された合成樹脂製の単層の防水層とを備え、前記透水層は、前記防水層と接する面が、前記防水層の色に対して強いコントラストを発現する有色層に形成されている。
【００１１】
前記有色層は、前記透水層に染料や顔料を付着して形成することができ、また、前記不織布が、前記防水層の色に対して強いコントラストを発現する材料により形成されていることにより形成することもできる。
【考案の効果】
【００１２】
本考案の傷発見機能を有する防水シートは、不織布製の透水層と、透水層の一方の面と接するように配置された合成樹脂製の単層の防水層とを備えており、透水層の防水層と接する面が、防水層の色に対して強いコントラストを発現する有色層に形成されていることを特徴とするから、ＮＡＴＭ工法のトンネル工事において、一次履工側に透水層が配置して、二次覆工側に防水層が配置するとき、当該防水シートが、万一、鉄筋等に衝当して破れが生じても、その破れによって有色層が露出するので、離れた場所からでも当該防水シートの破損を肉眼で容易に検知することができる。
【００１３】
特に、本考案防水シートは、不織布製の透水層と、合成樹脂製の単層の防水層により形成されているので、防水シートの製造にラミネート工程が不要になるという大きな経済的、省工程的な利点がある。
【図面の簡単な説明】
【００１４】
【図１】本考案の防水シートを用いるＮＡＴＭ工法トンネルの壁面の平断面図。
【図２】図１の防水シートにおいて防水性をき損する傷が付いた場合を模式的に表した正面図。
【図３】比較例の単層構造の防水シートに図２の場合と同様の傷が付いた場合を模式的に表した正面図。
【考案を実施するための形態】
【００１５】
次に、本考案の傷発見機能を有する防水シート１（以下、単に防水シート１）の実施形態について、図面を参照して説明する。
本実施形態の防水シート１は、図１に示すように、防水層２と、防水層２の一方の面と接するように配置される透水層３とを有する。
防水シート１は、防水層２がＮＡＴＭ工法の二次履工側に向けられ、透水層３が一次履工側に向けられた状態で使用される。
透水層３は、少なくとも防水層２と接する面に、防水層２との明度の差により、コントラストを発現する有色層３１が形成されている。そのため、防水層２が破けたことの確認が、二次履工側から有色層３１が露出したことを確認することで可能になる。
以下に、各構成要素について説明する。
【００１６】
防水層２は、エチレンと酢酸ビニルを主成分として共重合したＥＶＡ樹脂（Ｅｔｈｙｌｅｎｅ Ｖｉｎｙｌ Ａｃｅｔａｔｅ Ｃｏｐｏｌｙｍｅｒ）のペレット，粉粒体を押出し成形用原料として、厚さが０．８ｍｍ〜２．０ｍｍで不透明性のシート状に成形されている。
防水層２は、有色層３１との明度の差によりコントラストを発現させるため、有色層３１よりも明度が高くなるように形成されている。本実施形態では、後述するように有色層３１が黒色なので、強いコントラストを発現させるため白色に形成されている。
なお、本実施形態では防水層２が白色に形成されているが、防水層２が白色の他に乳白色などを含む白系色に形成されていてもよい。この場合でも、有色層３１の色に対してコントラストを発現させることができる。
【００１７】
防水層２は、一工程で成形される単層シートであり、公知の複層シートのように、個々のシートを第一工程で成形してから、第二工程で１枚の第一シートの上に他の１枚の第二のシートをラミネートして複層シートにするといった２つの工程を必要としないので、大きな経済的、省工程的な利点がある。
防水層２は、透水層３の有色層３１が形成されている面に貼着されている。
【００１８】
透水層３は、通常３ｍｍまたはそれ以上の厚さの不繊布により形成されている。
不織布の材料としては、天然繊維、化学繊維、無機繊維などを用いることができる。
天然繊維としては、綿、麻若しくは絹、又は羊毛などの獣毛が挙げられる。化学繊維としては、ポリエステル、ポリプロピレン、ポリエチレンなどの合成樹脂により形成されたものが挙げられる。無機繊維としては、ガラス、金属、セラミックなどにより形成されたものが挙げられる。
透水層３は、少なくとも防水層２と接触している面に、有色層３１が形成されている。
【００１９】
有色層３１は、透水層２の透水層３の防水層２と対向する面側の一部に形成されている。
有色層３１は、防水層２との明度の差によりコントラストを発現させるため、防水層２よりも明度が低くなるように形成されている。本実施形態では、有色層３１は、黒色に形成されている。
【００２０】
有色層３１は、透水層３の防水層２と対向する面に染料や顔料が付着されることで形成されている。
付着の方法としては、塗布、噴霧、浸染など、公知の方法を適宜選択することができる。
なお、浸染の場合には、透水層２の全体に染料や顔料が付着されて、透水層２の全体に有色層３１を容易に形成させることもできる。
【００２１】
上記のように構成される防水シート１は、トンネル工事中に、防水層２が二次履工側に、有色層３１が防水層２と対向するように透水層３が一次履工側に向けられて一次覆工面に配置されるとき、防水層２に二次履工用の鉄筋等が衝突したり、尖い凹凸のある地山（一次履工面）に押付けられたりして、防水層２が傷付いたり裂けたりすると、防水性を毀損することになる。このように防水層２が裂けたり傷付いたりした状態において、図２に示すように、防水層２の裂け目Ｇｖの中に有色層３１の黒い色が見える、つまり、白い防水層２の裂けた部分の中に黒い有色層３１が“切り込み線状”に見えるので、遠く離れた所からでも肉眼で一瞥して防水シート２に破れが生じていることを発見することができる。
【００２２】
因みに、図３に示す白色の合成樹脂製の防水層と、白色の不織布製の透水層とを有し、透水層に有色層が形成されていない比較例のシート５においては、図２の本考案の防水シート１と同様の傷（裂け目Ｇｖ）が付いても、シート５の透水層が白色であるため、裂け目Ｇｖを肉眼で視認することがきわめて難しい。
【００２３】
以上、本考案の好適な実施形態を説明したが、これ以外にも、本考案の主旨を逸脱しない限り、上記実施形態で挙げた構成を取捨選択したり、他の構成に適宜変更したりすることができる。
【００２４】
例えば、本実施形態では、透水層３に顔料や染料が付着して、有色層３１が形成されているが、本考案はこれに限定されない。透水層３は、不織布が防水層２の色に対してコントラストを発現する材料により形成されることにより、透水層３に有色層３１が形成されていてもよい。不織布の材料としては、例えば、材料自体の色が防水層３の色に対してコントラストを発現する色のものや、予め、防水層３の色に対してコントラストを発現する色に着色されたものを用いることができる。これにより、透水層３に顔料や染料を付着させる工程が不要になるという大きな経済的、省工程的な利点がある。
【００２５】
また、本実施形態では、防水層２は、透水層３の有色層３１が形成されている面に予め貼着されているが、本考案はこれに限定されない。トンネル工事の際に、まず透水層３を有色層３１を二次履工側に向けた状態で配置させ、その後に防水層２を有色層３１と接するように配置させてもよい。
【００２６】
さらに、本実施形態では、防水層２と有色層３１の明度の差によりコントラストが発現されているが、本考案はこれに限定されない。防水層２と有色層３１の彩度の差によりコントラストが発現されていてもよい。この場合は、有色層３１の彩度が、防水層２の彩度よりも十分に低いことが望ましい。
さらにまた、防水層２と有色層３１の一方の色が他方の色に対して、色相環の補色の関係又は略補色の関係にあることによりコントラストが発現されていてもよい。
【産業上の利用可能性】
【００２７】
ＮＡＴＭ工法により築造されるトンネル工事に用いる本考案の傷発見機能を有する防水シートは、不織布製の透水層３と、透水層３の一方の面と接するように配置された合成樹脂製の単層の防水層２とを備え、透水層３は、防水層２と接する面が、防水層２の色に対して強いコントラストを発現する有色層３１に形成されている。このため、防水層２を従来の傷発見機能を有するシートのように夫々に成形した２枚のシート材をラミネート工程を経て１枚の防水シートに形成する手間が要らず、従って、経済的にきわめて有利である。
そして、本考案の防水シート１は、防水層２が一工程で製造されたものであっても、ラミネート工程を経た２層防水シートと同様に、破れなどを肉眼により容易に検出できるという効果を奏するので、ＮＡＴＭ工法によるトンネル工事に用いる防水シートとしてきわめて有用である。
【符号の説明】
【００２８】
１    防水シート
２    防水層
３    透水層
３１  有色層
Ｇｖ  裂け目
【図１】
0003225285.tif 000003
【図２】
0003225285.tif 000004
【図３】
0003225285.tif 000005